(57)【特許請求の範囲】
【請求項１】
所定間隔を空けて対置させた一方に角孔を他方に軸受孔をそれぞれ軸芯を共通にして設けた一対の軸受部を有するブラケットと、このブラケットの前記軸受部に設けた前記角孔へその一端部側に設けた角状突起部を非回転に固定させて成るところのその中心部軸方向へ軸受孔を設けて成る固定カムと、この固定カムの前記軸受孔と前記軸受部の軸受孔を貫通して回転可能に設けられた回転シャフトと、この回転シャフトの前記軸受部を貫通した外側に設けられた開閉体の取付部と、前記回転シャフトに設けたフランジ部と前記軸受部との間に前記シャフトに回転を拘束されて取り付けられたフリクションワッシャーと、前記一対の軸受部の内側に位置し前記固定カムと対向して前記回転シャフトに回転を拘束された状態で摺動可能に取り付けられた回転摺動カムと、一対の軸受部の内側に位置し、前記回転シャフトに設けた雄ネジ部に捻子着された調節ナットと、この調節ナットと前記回転摺動カムとの間に前記回転シャフトに環巻きさせつつ弾設したコンプレッションスプリングとで構成したことを特徴とする、開閉体の開閉装置。
【請求項２】
前記ブラケットは、各々基板部と軸受部を有する断面略Ｌ字形状を呈した一対の軸受部材で構成され、前記各基板部を互いに重ね合わせて用いることを特徴とする、請求項１記載の開閉体の開閉装置。
【発明の詳細な説明】
【０００１】
【産業上の技術分野】
この発明は、例えば携帯電話機の受話器、ラップトップ型の小型パソコン、ワープロ等のディスプレイ体、その他各種蓋体から成る開閉体の開閉に用いて好適な開閉装置に関する。
【０００２】
【従来の技術】
従来、この種の開閉装置にあたっては、取付部材の軸受部に回転可能に取り付けられた回転シャフトにスプリング、フリクションワッシャー、カム等を作用させ、この回転シャフトの一端部に開閉体の一端部を取り付けた、所謂片持型の開閉装置が種々公知である。
【０００３】
【発明が解決しようとする課題】
このような従来公知の開閉装置は、開閉体に対して左右一対のものを必要とする場合が多く、開閉装置のコストダウンの障害となっている。
【０００４】
この発明の目的は、回転シャフトの回転トルクを制御でき、開閉体を両持型で支持できる開閉体の開閉装置を提供せんとするにある。
【０００５】
【課題を解決するための手段】
上述した目的を達成するためにこの発明は、所定間隔を空けて対置させた一方に角孔を他方に軸受孔をそれぞれ軸芯を共通にして設けた一対の軸受部を有するブラケットと、このブラケットの前記軸受部に設けた前記角孔へその一端部側に設けた角状突起部を非回転に固定させて成るところのその中心部軸方向へ軸受孔を設けて成る固定カムと、この固定カムの前記軸受孔と前記軸受部の軸受孔を貫通して回転可能に設けられた回転シャフトと、この回転シャフトの前記軸受部を貫通した外側に設けられた開閉体の取付部と、前記回転シャフトに設けたフランジ部と前記軸受部との間に前記シャフトに回転を拘束されて取り付けられたフリクションワッシャーと、前記一対の軸受部の内側に位置し前記固定カムと対向して前記回転シャフトに回転を拘束された状態で摺動可能に取り付けられた回転摺動カムと、一対の軸受部の内側に位置し、前記回転シャフトに設けた雄ネジ部に捻子着された調節ナットと、この調節ナットと前記回転摺動カムとの間に前記回転シャフトに環巻きさせつつ弾設したコンプレッションスプリングとで構成したことを特徴とする。
【０００６】
その際にこの発明は、前記ブラケットを、各々基板部と軸受部を有する断面略Ｌ字形状を呈した一対の軸受部材で構成し、前記各基板部を互いに重ね合わせて用いることができる。
【０００７】
【発明の実施の形態】
図面はこの発明の好適な実施形態を示し、１はブラケットであり、このブラケットは各々の軸受部２ａ，３ａと基板部２ｃ，３ｃを断面略Ｌの字形状を呈するように折り曲げて組み合わせることにより、該軸受部２ａ，３ａ同志を壁立対向させて成る一対の軸受部材２，３から構成させている。各基板部２ｃ，３ｃには、取付孔２ｄ，３ｄが設けられ、互いの基板部２ｃ，３ｃを重ね合わせて各取付孔２ｄ，３ｄに通した取付ビス１０によって互いを固定するように構成されている。尚、ブラケット１は軸受部のみを壁立対向させて断面略コの字形状を呈するように折り曲げた一枚の板材で構成しても良い。このうちの一方の軸受部２ａには、角孔２ｂが設けられ、もう一方の軸受部３ａには円形の軸受孔３ｂが設けられており、角孔２ｂにはその中心部に円形の軸受孔４ａを設けると共に、一側面に凹部４ｂから成るカム部４ｃを形成させ、他側面に角状突起部４ｄを形成させた固定カム４が該角状突起部４ｄを角孔２ｂに嵌入させて軸受部２ａに取り付けられている。
【０００８】
５は回転シャフトであり、この回転シャフト５は両端部に各々半径方に貫通する取付孔５ａ，５ａを有する変形された取付部５ｂ，５ｂが設けられると共に、このうちの一方の取付部５ｂ側に位置する一側部側にフランジ部５ｃが、さらに略中央部に雄ネジ部５ｄと変形軸部５ｅが各々設けられている。この回転シャフト５は各軸受部材２，３の各軸受部２ａ，３ａを、一方は固定カム４の軸受孔４ａを、他方は軸受部３ａの軸受孔３ｂを各々貫通することによって回転可能に各軸受部材２，３に軸架されており、その両端部に設けた取付部５ｂ，５ｂを各軸受部２ａ，３ａより外側へ突出させている。
【０００９】
６は軸受部２ａの一側面と回転シャフト５のフランジ部５ｃとの間に介在させたフリクションワッシャーであり、合成樹脂製プレート、或は燐青銅製の金属プレートから構成されている。このフリクションワッシャー６には中心部に変形挿通孔６ａが設けられ、この変形挿通孔６ａ内に回転シャフト５の変形軸部５ｅを挿通させることにより、回転シャフト５と共に回転する。
【００１０】
７はその中心部に変形挿通孔７ａを設け、固定カム４の凹部４ｂと対向する側に凸部７ｂから成るカム部７ｃを突設して成る回転摺動カムであり、その変形挿通孔７ａに回転シャフト５の変形軸部５ｅを挿通させることにより、該回転シャフト５と共に回転しつつ、かつその軸方向へ摺動可能である。
【００１１】
８はコンプレッションスプリングであり、回転シャフト５に環巻きされて回転摺動カム７を固定カム４の方向へ摺動附勢させるものである。尚、コンプレッションスプリング８は、他にも板バネ、スプリングワッシャー、ゴム等のものに代えることができる。
【００１２】
９はその中心部軸方向に設けた雌ネジ部９ａを回転シャフト５の雄ネジ部と累合させて成る調節ナットであり、コンプレッションスプリング８の弾力を調節する機能を富んでいる。
【００１３】
そして、フリクションワッシャー６と軸受部２ａの間、及び回転摺動カム７と固定カム４の接触面との間には、図示していないシリコングリスのような潤滑材が塗布されている。
【００１４】
したがって、図５に示したようにブラケット１を例えば携帯電話機の送話器側、或は各種ＯＡ機器のキーボードを設置した装置本体１０側に（想像線で表示）に固定させ、回転シャフト５の両端部の取付部５ｂ，５ｂに開閉体１１（想像線で表示）をいわば両持側に取り付けて該開閉体１１を開閉させると、回転シャフト５が共に回転し、その際に固定カム４のカム部４ｃと回転摺動カム７のカム部７ｃとの間に発生するカムトルクと、フリクションワッシャー６と軸受部２ａとの間に発生するフリクショントルクによって、開閉体１１を所定の或は任意の中間開成角度で安定的に停止保持したり、或は急激な落下を防止したり、或は所定の閉成角度から所謂吸い込みによる自動閉成を行う、等の開閉体１１の開閉動作の制御を行うことができるものである。
【００１５】
また、カムトルクやフリクショントルクの強弱の調節は、調節ナット９をいずれかの方向へ回転させ、回転摺動カム７が固定カム４に圧接する強さや、フリクションワッシャー６が軸受部２ａに圧接する強さを加減することができることにより行うことができる。
【００１６】
尚、固定カム４と回転摺動カム７の各カム部４ｃ，７ｃの形状や設置位置、設置角度等は実施例のものに限定されず、開閉制御すべき開閉体の要望によりさまざまに変えることが可能である。
【００１７】
【発明の効果】
この発明は、以上のように構成したので、次のような効果を奏し得る。
【００１８】
請求項１のように構成すると、一つの開閉装置で開閉体を両持型に支持できるので、開閉装置の製作コストを下げることができる上に、開閉体の開閉操作と共に回転シャフトが固定カムと回転摺動カムの間に発生するカムトルクと、フリクションワッシャーと軸受部との間に発生するフリクショントルクにより、その回転トルクを制御されることから、この回転シャフトに両持型に支持させた開閉体の開閉動作を所定の開成角度で安定保持し、或は急激な落下を防止し、或は吸い込みによる自動閉止を行なわせるなどさまざまに制御することができる。
【００１９】
請求項２のように構成すると、ブラケットの設置スペースを省略することができるものである。
【図面の簡単な説明】
【図１】  この発明に係る開閉体の開閉装置の斜視図である。
【図２】  この発明に係る開閉体の開閉装置の分解斜視図である。
【図３】  この発明に係る開閉体の開閉装置の動作を説明するための一部断面平面図である。
【図４】  この発明に係る開閉体の開閉装置の動作を説明するために回転シャフトの回転角度を変えて見た一部断面平面図である。
【図５】  この発明に係る開閉体の開閉装置の側面図である。
【図６】  固定カムの正面図である。
【図７】  固定カムの左側面図である。
【図８】  固定カムの右側面図である。
【図９】  固定カムのカム部の展開図である。
【図１０】  回転摺動カムの正面図である。
【図１１】  回転摺動カムの右側面図である。
【符号の説明】
１  ブラケット
２  軸受部材
２ａ  軸受部
２ｂ  角孔
２ｃ  基板部
３  軸受部材
３ａ  軸受部
３ｂ  軸受孔
３ｃ  基板部
４  固定カム
４ａ  軸受孔
４ｂ  凹部
４ｃ  カム部
５  回転シャフト
５ｂ  取付部
５ｃ  フランジ部
５ｄ  雄ネジ部
６  フリクションワッシャー
７  回転摺動カム
８  コンプレッションスプリング
９  調節ナット
１０  装置本体
１１  開閉体
【図１】
0003691630.tif 000002
【図２】
0003691630.tif 000003
【図３】
0003691630.tif 000004
【図４】
0003691630.tif 000005
【図５】
0003691630.tif 000006
【図６】
0003691630.tif 000007
【図７】
0003691630.tif 000008
【図８】
0003691630.tif 000009
【図９】
0003691630.tif 000010
【図１０】
0003691630.tif 000011
【図１１】
0003691630.tif 000012